【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
共有される交流電流ＡＣ電源ライン通信媒体における干渉を低減するための方法であって、
第１の規格下で動作するモデムにおいて、前記第１の規格に従ってデータフレームを生成することと、
改変されたデータフレームをつくるように前記データフレームの始めに第２の規格に従って使用中の帯域のプリアンブルを付加することと、
前記第１の規格下で動作する前記モデムを用いて、前記電源ライン通信媒体上で前記改変されたデータフレームを送信することと、
を含む、方法。
【請求項２】
請求項１に記載の方法であって、
前記第２の規格下で動作するモデムで前記改変されたデータフレームを受け取ることと、
前記改変されたデータフレーム内で前記第２の規格の使用中の帯域のプリアンブルをデコードすることと、
前記改変されたデータフレームをデコードするように試みる一方で、前記第２の規格下で動作するモデムによる送信を遅延させることと、
を更に含む、方法。
【請求項３】
請求項１に記載の方法であって、
前記第１の規格がＰＲＩＭＥ（Ｐｏｗｅｒｌｉｎｅ−Ｒｅｌａｔｅｄ  Ｉｎｔｅｌｌｉｇｅｎｔ  Ｍｅｔｅｒｉｎｇ  Ｅｖｏｌｕｔｉｏｎ）規格であり、前記第２の規格がＳ−ＦＳＫ（ＩＥＣ６１３３４−５−１）規格である、方法。
【請求項４】
請求項３に記載の方法であって、
前記データフレームが、前記ＰＲＩＭＥ規格に従ったＰＨＹ層プロトコルデータユニット（ＰＰＤＵ）であり、
前記Ｓ−ＦＳＫ規格に従ったスタートフレームデリミタ―（ＳＦＤ）を付加することを更に含む、方法。
【請求項５】
請求項１に記載の方法であって、
前記第１の規格がＧ３規格であり、前記第２の規格がＰＲＩＭＥ（Ｐｏｗｅｒｌｉｎｅ−Ｒｅｌａｔｅｄ  Ｉｎｔｅｌｌｉｇｅｎｔ  Ｍｅｔｅｒｉｎｇ  Ｅｖｏｌｕｔｉｏｎ）規格である、方法。
【請求項６】
請求項５に記載の方法であって、
前記データフレームが、前記Ｇ３規格に従ったＰＨＹ層プロトコルデータユニット（ＰＰＤＵ）であり、前記使用中の帯域のプリアンブルがＰＲＩＭＥ ＰＰＤＵのためのプリアンブルである、方法。
【請求項７】
共有される交流電流ＡＣ電源ライン通信媒体における干渉を低減するための方法であって、
第１の規格で動作するベースノードで、第１の規格に従ってコンテンションフリー期間を示すデータフレームを生成することと、
前記第１の規格下で前記ベースノードを備えた前記電源ライン通信媒体上で動作する全てのノードからの前記コンテンションフリー期間の割り当てを保留することと、
前記コンテンションフリー期間の間、第２の規格下で動作するデバイスが送信することを可能にすることと、
前記コンテンションフリー期間の終わりで、前記第１の規格下で動作する前記ベースノードにより、前記電源ライン通信媒体でデータを送信することと、
を含む、方法。
【請求項８】
請求項７に記載の方法であって、
前記第１の規格がＰＲＩＭＥ（Ｐｏｗｅｒｌｉｎｅ−Ｒｅｌａｔｅｄ  Ｉｎｔｅｌｌｉｇｅｎｔ  Ｍｅｔｅｒｉｎｇ  Ｅｖｏｌｕｔｉｏｎ）規格であり、前記第２の規格がＳ−ＦＳＫ（ＩＥＣ６１３３４-５-１）規格である、方法。
【請求項９】
請求項７に記載の方法であって、
前記第１の規格がＰＲＩＭＥ（Ｐｏｗｅｒｌｉｎｅ−Ｒｅｌａｔｅｄ  Ｉｎｔｅｌｌｉｇｅｎｔ  Ｍｅｔｅｒｉｎｇ  Ｅｖｏｌｕｔｉｏｎ）規格であり、前記第２の規格がＧ３規格である、方法。
【請求項１０】
請求項９に記載の方法であって、
前記コンテンションフリー期間の終わりの前に、前記第１の規格下で動作する前記ベースノードにより、前記電源ライン通信媒体でＰＨＹ層プロトコルデータユニット（ＰＰＤＵ）を送信することであって、前記ＰＰＤＵが前記第１の規格下で動作する既存のノードにアドレスされていない、前記送信することを更に含む、方法。
【請求項１１】
請求項１０に記載の方法であって、
前記ＰＰＤＵが、コンテンションバックオフ期間の間、前記コンテンションフリー期間の後に前記第２の規格下で動作するデバイスに送信を保留させる、方法。
【請求項１２】
多数の規格下で動作するデバイスにより共有されるチャネルで通信するためのシステムであって、
ＰＲＩＭＥ（Ｐｏｗｅｒｌｉｎｅ−Ｒｅｌａｔｅｄ  Ｉｎｔｅｌｌｉｇｅｎｔ  Ｍｅｔｅｒｉｎｇ  Ｅｖｏｌｕｔｉｏｎ）規格で動作するベースノードと、
前記ＰＲＩＭＥ（Ｐｏｗｅｒｌｉｎｅ−Ｒｅｌａｔｅｄ  Ｉｎｔｅｌｌｉｇｅｎｔ  Ｍｅｔｅｒｉｎｇ  Ｅｖｏｌｕｔｉｏｎ）規格下で動作する複数のモデムと、
を含み、
前記ベースノードが、前記ＰＲＩＭＥ（Ｐｏｗｅｒｌｉｎｅ−Ｒｅｌａｔｅｄ  Ｉｎｔｅｌｌｉｇｅｎｔ  Ｍｅｔｅｒｉｎｇ  Ｅｖｏｌｕｔｉｏｎ）規格に準拠するデータフレームを生成するように動作し、前記データフレームが、前記データフレームの始めにＳ−ＦＳＫ（ＩＥＣ６１３３４−５−１）規格に従った使用中の帯域ノプリアンブルを更に含む、システム。
【請求項１３】
請求項１２に記載のシステムであって、
前記データフレームが前記ＰＲＩＭＥ規格に従ったＰＨＹ層プロトコルデータユニット（ＰＰＤＵ）であり、
前記Ｓ−ＦＳＫ規格に従ったスタートフレームデリミタ―（ＳＦＤ）を付加することを更に含む、システム。
【請求項１４】
複数の規格の下で動作するデバイスにより共有されるチャネル上で通信するシステムであって、
Ｇ３規格下で動作するベースノードと、
前記Ｇ３規格下で動作する複数のモデムと、
を含み、
前記Ｇ３規格に準拠したデータフレームを生成するように前記ベースノードが動作し、前記データフレームが前記データフレームの始めにＰＲＩＭＥ（Ｐｏｗｅｒｌｉｎｅ−Ｒｅｌａｔｅｄ  Ｉｎｔｅｌｌｉｇｅｎｔ  Ｍｅｔｅｒｉｎｇ  Ｅｖｏｌｕｔｉｏｎ）規格に従った使用中の帯域のプリアンブルを更に含む、システム。
【請求項１５】
請求項１４に記載のシステムであって、
前記データフレームが前記Ｇ３規格に従ったＰＨＹ層プロトコルデータユニット（ＰＰＤＵ）であり、前記使用中の帯域のプリアンブルが、ＰＲＩＭＥ  ＰＰＤＵのためのプリアンブルである、システム。
【請求項１６】
多数の規格下で動作するデバイスにより共有される交流電流ＡＣ電源ラインチャネルで通信するためのシステムであって、
第１の通信規格で動作するベースノードと、
前記第１の通信規格下で動作する複数のモデムと、
を含み、
前記ベースノードが、前記第１の通信規格に従って前記共有されるチャネルのためコンテンションフリー期間を示すデータフレームを生成及び送信するよう動作し、
前記ベースノードが、前記複数のモデムからの前記コンテンションフリー期間の割り当てを保留して、第２の通信規格下で動作するデバイスが、前記コンテンションフリー期間の間前記共有されるチャネルで送信できるようにし、交流電流ＡＣ主ゼロクロスで開始する、システム。
【請求項１７】
請求項１６に記載のシステムであって、
前記ベースノードが、前記コンテンションフリー期間の終わりにデータを前記複数のモデムに送信するよう動作する、システム。
【請求項１８】
請求項１６に記載のシステムであって、
前記第１の通信規格がＰＲＩＭＥ（Ｐｏｗｅｒｌｉｎｅ−Ｒｅｌａｔｅｄ  Ｉｎｔｅｌｌｉｇｅｎｔ  Ｍｅｔｅｒｉｎｇ  Ｅｖｏｌｕｔｉｏｎ）規格であり、前記第２の通信規格がＳ−ＦＳＫ（ＩＥＣ６１３３４−５−１）規格である、システム。
【請求項１９】
請求項１６に記載のシステムであって、
前記第１の通信規格がＰＲＩＭＥ（Ｐｏｗｅｒｌｉｎｅ−Ｒｅｌａｔｅｄ  Ｉｎｔｅｌｌｉｇｅｎｔ  Ｍｅｔｅｒｉｎｇ  Ｅｖｏｌｕｔｉｏｎ）規格であり、前記第２の通信規格がＧ３規格であり、
前記コンテンションフリー期間の終わりの前に、前記ベースノードが、前記共有されるチャネルでＰＨＹ層プロトコルデータユニット（ＰＰＤＵ）を送信するよう動作し、前記ＰＰＤＵが前記複数のモデムのいずれにもアドレスされていない、システム。